(57)【要約】【課題】ＳＴＢ等の制御側ＡＶ機器において、外部入力ＡＶ機器の制御用のリモコンコードの設定操作を簡単に行うことができるようにする。【解決手段】ユーザが、設定ボタンを押した後に（Ｓ１でＹＥＳ）、外部機器用リモコンの電源キーを押下すると、ＳＴＢは、外部機器用リモコンから電源キーに対応したリモコンコードを受信して（Ｓ３）、受信したリモコンコードのコードタイプを自動的に判別する（Ｓ４乃至Ｓ６）。これにより、従来と異なり、ユーザが、ＧＵＩ等を用いて、多くの外部入力ＡＶ機器のメーカ名や機種タイプの中から、制御対象となる外部入力ＡＶ機器のメーカ名や機種タイプを選択して、ＳＴＢに外部入力ＡＶ機器用のリモコンコードのコードタイプを判別させる必要がなくなるので、外部入力ＡＶ機器の制御用のリモコンコードの設定操作を簡単に行うことができる。【選択図】図６
2006352301.tif 000002
【特許請求の範囲】
【請求項１】
外部入力機器である他のＡＶ機器（以下、外部入力ＡＶ機器という）と映像・音声信号の伝送可能なケーブルを介して接続され、
自機及び前記外部入力ＡＶ機器を操作するためのリモートコントロール装置（以下、自機用リモコンと略す）と、
前記自機用リモコンから赤外線信号の形式で送信されたリモコンコードを受信するための赤外線信号受信手段と、
前記赤外線信号受信手段により受信したリモコンコードを前記外部入力ＡＶ機器を制御するためのリモコンコードに変換するコード変換手段と、
前記コード変換手段による変換後のリモコンコードを赤外線信号の形式で送信するＡＶマウスとを備えた、外部入力ＡＶ機器の制御機能を有するＡＶ機器（以下、制御側ＡＶ機器という）において、
前記外部入力ＡＶ機器の接続台数が、２以上であり、
映像・音声信号の入力元となる外部入力ＡＶ機器を切り替える入力切替手段と、
前記入力切替手段による切り替え後の入力元の外部入力ＡＶ機器用のリモコンコードの設定モードに移行させるための指示操作用の設定ボタンと、
前記設定ボタンがユーザにより押された後に、前記切り替え後の入力元の外部入力ＡＶ機器の専用のリモコン（以下、外部機器用リモコンと略す）からの、電源キーに対応したリモコンコードを前記赤外線信号受信手段により受信して、受信したリモコンコードのコードタイプを判別するコードタイプ判別手段と、
前記コードタイプ判別手段により判別したコードタイプを記憶するコードタイプ記憶手段とをさらに備え、
前記コード変換手段は、前記赤外線信号受信手段により受信したリモコンコードを、前記コードタイプ記憶手段に記憶されたコードタイプに対応したリモコンコードに変換するようにしたことを特徴とする制御側ＡＶ機器。
【請求項２】
外部入力機器である他のＡＶ機器（以下、外部入力ＡＶ機器という）と映像・音声信号の伝送可能なケーブルを介して接続され、
自機及び前記外部入力ＡＶ機器を操作するためのリモートコントロール装置（以下、自機用リモコンと略す）と、
前記自機用リモコンから送信されたリモコンコードを受信するための受信手段と、
前記受信手段により受信したリモコンコードを前記外部入力ＡＶ機器を制御するためのリモコンコードに変換するコード変換手段と、
前記コード変換手段による変換後のリモコンコードを送信するＡＶマウスとを備えた、外部入力ＡＶ機器の制御機能を有するＡＶ機器（以下、制御側ＡＶ機器という）において、
前記外部入力ＡＶ機器の専用のリモコン（以下、外部機器用リモコンと略す）からのリモコンコードを前記受信手段により受信して、受信したリモコンコードのコードタイプを判別するコードタイプ判別手段と、
前記コードタイプ判別手段により判別したコードタイプを記憶するコードタイプ記憶手段とをさらに備え、
前記コード変換手段は、前記受信手段により受信したリモコンコードを、前記コードタイプ記憶手段に記憶されたコードタイプに対応したリモコンコードに変換するようにしたことを特徴とする制御側ＡＶ機器。
【請求項３】
前記外部入力ＡＶ機器の接続台数が、２以上であり、
映像・音声信号の入力元となる外部入力ＡＶ機器を切り替える入力切替手段と、
前記入力切替手段による切り替え後の入力元の外部入力ＡＶ機器用のリモコンコードの設定モードに移行させるための指示操作用の設定ボタンとをさらに備え、
前記コードタイプ判別手段は、前記設定ボタンがユーザにより押された後に、前記切り替え後の入力元の外部入力ＡＶ機器の専用のリモコンからのリモコンコードを前記受信手段により受信して、受信したリモコンコードのコードタイプを判別するようにした請求項２に記載の制御側ＡＶ機器。
【請求項４】
制御側ＡＶ機器と、この制御側ＡＶ機器により制御される外部入力機器である他のＡＶ機器（以下、外部入力ＡＶ機器という）とを映像・音声信号の伝送可能なケーブルを介して接続したＡＶシステムにおいて、
前記制御側ＡＶ機器は、
前記制御側ＡＶ機器及び前記外部入力ＡＶ機器を操作するためのリモートコントロール装置（以下、制御側ＡＶ機器用リモコンと略す）と、
前記制御側ＡＶ機器用リモコンから送信されたリモコンコードを受信するための制御機器側受信手段と、
前記制御機器側受信手段により受信したリモコンコードを前記外部入力ＡＶ機器を制御するためのリモコンコードに変換するコード変換手段と、
前記コード変換手段による変換後のリモコンコードを送信するＡＶマウスと、
前記外部入力ＡＶ機器の専用のリモコン（以下、外部機器用リモコンと略す）からのリモコンコードを前記制御機器側受信手段により受信して、受信したリモコンコードのコードタイプを判別するコードタイプ判別手段と、
前記コードタイプ判別手段により判別したコードタイプを記憶するコードタイプ記憶手段とを備え、
前記コード変換手段は、前記制御機器側受信手段により受信したリモコンコードを、前記コードタイプ記憶手段に記憶されたコードタイプに対応したリモコンコードに変換し、
前記外部入力ＡＶ機器は、
前記ＡＶマウスから送信されたリモコンコードを受信するための外部入力機器側受信手段と、
前記外部入力機器側受信手段により受信したリモコンコードに基いて前記外部入力ＡＶ機器を制御する外部入力機器側制御手段とを備えることを特徴とするＡＶシステム。
【発明の詳細な説明】
【技術分野】
【０００１】
本発明は、ＶＨＳ（Video Home System）テープレコーダ、ＨＤＤ（Hard Disc Drive）レコーダ等の外部入力ＡＶ機器の制御機能を有する、セットトップボックス等のＡＶ機器（以下、制御側ＡＶ機器という）、及びこの制御側ＡＶ機器と外部入力ＡＶ機器とから構成されるＡＶシステムに関する。
【背景技術】
【０００２】
従来より、自機用のリモコンから送信されたリモコンコードを受信して、受信したリモコンコードを外部入力ＡＶ機器を制御するためのリモコンコードに変換し、変換後のリモコンコードをＡＶマウスを用いて赤外線信号の形式で外部入力ＡＶ機器に送信して外部入力ＡＶ機器を制御する制御側ＡＶ機器がある。この種の制御側ＡＶ機器では、ＡＶマウスから送信される、外部入力ＡＶ機器の制御用のリモコンコードを設定するために、ユーザが、ＧＵＩ等を用いて、外部入力ＡＶ機器のメーカ名や機種タイプのリストの中から、制御対象となる外部入力ＡＶ機器のメーカ名や機種タイプを選択して、制御側ＡＶ機器に外部入力ＡＶ機器用のリモコンコードのコードタイプを判別させる必要があった。ここで、外部入力ＡＶ機器のメーカや機種タイプの数が多いことから、上記のメーカ名や機種タイプの選択操作（外部入力ＡＶ機器の制御用のリモコンコードの設定操作）は、ユーザにとって手間のかかるものであった。
【０００３】
ところで、ＡＶ機器の中継制御装置の分野において、複数のＡＶ機器を共通のリモコンで操作することができるようにしたものが知られている（特許文献１参照）。しかし、特許文献１の発明では、上記の問題を解決することはできない。また、特許文献１の発明では、リモコンコードの変換・中継を行うための専用の装置（中継制御装置）が必要になるため、コストダウンを図ることが難しいという問題があった。
【特許文献１】特開平２−１５１１９７号公報
【発明の開示】
【発明が解決しようとする課題】
【０００４】
本発明は、上記の問題を解決するためになされたものであり、外部入力ＡＶ機器の制御用のリモコンコードの設定操作を簡単に行うことが可能な制御側ＡＶ機器、及びこの制御側ＡＶ機器を含むＡＶシステムを提供することを目的とする。
【課題を解決するための手段】
【０００５】
上記目的を達成するために、請求項１の発明は、外部入力機器である他のＡＶ機器（以下、外部入力ＡＶ機器という）と映像・音声信号の伝送可能なケーブルを介して接続され、自機及び前記外部入力ＡＶ機器を操作するためのリモートコントロール装置（以下、自機用リモコンと略す）と、前記自機用リモコンから赤外線信号の形式で送信されたリモコンコードを受信するための赤外線信号受信手段と、前記赤外線信号受信手段により受信したリモコンコードを前記外部入力ＡＶ機器を制御するためのリモコンコードに変換するコード変換手段と、前記コード変換手段による変換後のリモコンコードを赤外線信号の形式で送信するＡＶマウスとを備えた、外部入力ＡＶ機器の制御機能を有するＡＶ機器（以下、制御側ＡＶ機器という）において、前記外部入力ＡＶ機器の接続台数が、２以上であり、映像・音声信号の入力元となる外部入力ＡＶ機器を切り替える入力切替手段と、前記入力切替手段による切り替え後の入力元の外部入力ＡＶ機器用のリモコンコードの設定モードに移行させるための指示操作用の設定ボタンと、前記設定ボタンがユーザにより押された後に、前記切り替え後の入力元の外部入力ＡＶ機器の専用のリモコン（以下、外部機器用リモコンと略す）からの、電源キーに対応したリモコンコードを前記赤外線信号受信手段により受信して、受信したリモコンコードのコードタイプを判別するコードタイプ判別手段と、前記コードタイプ判別手段により判別したコードタイプを記憶するコードタイプ記憶手段とをさらに備え、前記コード変換手段は、前記赤外線信号受信手段により受信したリモコンコードを、前記コードタイプ記憶手段に記憶されたコードタイプに対応したリモコンコードに変換するようにしたものである。
【０００６】
請求項２の発明は、外部入力機器である他のＡＶ機器（以下、外部入力ＡＶ機器という）と映像・音声信号の伝送可能なケーブルを介して接続され、自機及び前記外部入力ＡＶ機器を操作するためのリモートコントロール装置（以下、自機用リモコンと略す）と、前記自機用リモコンから送信されたリモコンコードを受信するための受信手段と、前記受信手段により受信したリモコンコードを前記外部入力ＡＶ機器を制御するためのリモコンコードに変換するコード変換手段と、前記コード変換手段による変換後のリモコンコードを送信するＡＶマウスとを備えた、外部入力ＡＶ機器の制御機能を有するＡＶ機器（以下、制御側ＡＶ機器という）において、前記外部入力ＡＶ機器の専用のリモコン（以下、外部機器用リモコンと略す）からのリモコンコードを前記受信手段により受信して、受信したリモコンコードのコードタイプを判別するコードタイプ判別手段と、前記コードタイプ判別手段により判別したコードタイプを記憶するコードタイプ記憶手段とをさらに備え、前記コード変換手段は、前記受信手段により受信したリモコンコードを、前記コードタイプ記憶手段に記憶されたコードタイプに対応したリモコンコードに変換するようにしたものである。
【０００７】
請求項３の発明は、請求項２に記載の制御側ＡＶ機器において、前記外部入力ＡＶ機器の接続台数が、２以上であり、映像・音声信号の入力元となる外部入力ＡＶ機器を切り替える入力切替手段と、前記入力切替手段による切り替え後の入力元の外部入力ＡＶ機器用のリモコンコードの設定モードに移行させるための指示操作用の設定ボタンとをさらに備え、前記コードタイプ判別手段は、前記設定ボタンがユーザにより押された後に、前記切り替え後の入力元の外部入力ＡＶ機器の専用のリモコンからのリモコンコードを前記受信手段により受信して、受信したリモコンコードのコードタイプを判別するようにしたものである。
【０００８】
請求項４の発明は、制御側ＡＶ機器と、この制御側ＡＶ機器により制御される外部入力機器である他のＡＶ機器（以下、外部入力ＡＶ機器という）とを映像・音声信号の伝送可能なケーブルを介して接続したＡＶシステムにおいて、前記制御側ＡＶ機器は、前記制御側ＡＶ機器及び前記外部入力ＡＶ機器を操作するためのリモートコントロール装置（以下、制御側ＡＶ機器用リモコンと略す）と、前記制御側ＡＶ機器用リモコンから送信されたリモコンコードを受信するための制御機器側受信手段と、前記制御機器側受信手段により受信したリモコンコードを前記外部入力ＡＶ機器を制御するためのリモコンコードに変換するコード変換手段と、前記コード変換手段による変換後のリモコンコードを送信するＡＶマウスと、前記外部入力ＡＶ機器の専用のリモコン（以下、外部機器用リモコンと略す）からのリモコンコードを前記制御機器側受信手段により受信して、受信したリモコンコードのコードタイプを判別するコードタイプ判別手段と、前記コードタイプ判別手段により判別したコードタイプを記憶するコードタイプ記憶手段とを備え、前記コード変換手段は、前記制御機器側受信手段により受信したリモコンコードを、前記コードタイプ記憶手段に記憶されたコードタイプに対応したリモコンコードに変換し、前記外部入力ＡＶ機器は、前記ＡＶマウスから送信されたリモコンコードを受信するための外部入力機器側受信手段と、前記外部入力機器側受信手段により受信したリモコンコードに基いて前記外部入力ＡＶ機器を制御する外部入力機器側制御手段とを備えるものである。
【発明の効果】
【０００９】
請求項１の発明によれば、ユーザが、設定ボタンを押した後に、外部機器用リモコンの電源キーを押下すると、外部機器用リモコンから電源キーに対応したリモコンコードが制御側ＡＶ機器に送信されて、制御側ＡＶ機器が、このリモコンコードのコードタイプを自動的に判別する。これにより、従来と異なり、ユーザが、ＧＵＩ等を用いて、多くの外部入力ＡＶ機器のメーカ名や機種タイプの中から、制御対象となる外部入力ＡＶ機器のメーカ名や機種タイプを選択して、制御側ＡＶ機器に外部入力ＡＶ機器用のリモコンコードのコードタイプを判別させる必要がなくなるので、外部入力ＡＶ機器の制御用のリモコンコードの設定操作を簡単に行うことができる。
【００１０】
また、ユーザにより設定ボタンが押されたときに、入力切替手段による切り替え後の入力元の外部入力ＡＶ機器用のリモコンコードの設定モードに移行し、この外部入力ＡＶ機器用のリモコンコードの設定のみを行うことができるようになるので、外部入力ＡＶ機器の接続台数が２以上であっても、ユーザが、各外部入力ＡＶ機器の制御用のリモコンコードの設定操作を間違いなく行うことができる。
【００１１】
請求項２の発明によれば、ユーザが、外部機器用リモコン上のキーを押下すると、押下されたキーに対応したリモコンコードが外部機器用リモコンから制御側ＡＶ機器に送信されて、制御側ＡＶ機器が、このリモコンコードのコードタイプを自動的に判別する。これにより、従来と異なり、ユーザが、ＧＵＩ等を用いて、多くの外部入力ＡＶ機器のメーカ名や機種タイプの中から、制御対象となる外部入力ＡＶ機器のメーカ名や機種タイプを選択して、制御側ＡＶ機器に外部入力ＡＶ機器用のリモコンコードのコードタイプを判別させる必要がなくなるので、外部入力ＡＶ機器の制御用のリモコンコードの設定操作を簡単に行うことができる。
【００１２】
また、請求項３の発明によれば、上記請求項１と同様な効果を得ることができる。
【００１３】
請求項４に記載のＡＶシステムによれば、上記請求項２の発明と同様な効果を得ることができる。
【発明を実施するための最良の形態】
【００１４】
本発明を実施するための最良の形態について図面を参照して説明する。本発明は、ＶＨＳ（Video Home System）テープレコーダ、ＨＤＤ（Hard Disc Drive）レコーダ等の外部入力ＡＶ機器の制御機能を有する、セットトップボックス等のＡＶ機器（以下、制御側ＡＶ機器という）、及びこの制御側ＡＶ機器と外部入力ＡＶ機器とから構成されるＡＶシステムに関するものである。以下の実施形態では、本発明に係る制御側ＡＶ機器が、テレビジョン放送信号の受信用のセットトップボックス（ＳＴＢ）であり、外部入力ＡＶ機器が、ＶＨＳテープレコーダ（以下、ＶＨＳレコーダと略す）とＨＤＤレコーダである場合の例について説明する。なお、以下に記載した実施形態は、本発明を網羅するものではなく、本発明は、下記の形態だけに限定されない。
【００１５】
図１は、本実施形態による制御側ＡＶ機器であるＳＴＢを含むＡＶシステムを示す。このＡＶシステム１は、ＳＴＢ２と、このＳＴＢ２により制御される外部入力ＡＶ機器であるＶＨＳレコーダ３及びＨＤＤレコーダ４と、ＳＴＢ２で受信したテレビジョン放送信号の出力先となるテレビジョン放送信号受像機（ＴＶ受像機）５とを映像・音声信号の伝送可能なケーブル６〜８を介して接続したものである。ＳＴＢ２は、ＳＴＢ２自体と、外部入力ＡＶ機器であるＶＨＳレコーダ３及びＨＤＤレコーダ４とを操作するためのリモコン（請求項における自機用リモコン）１０を有している。また、ＳＴＢ２の本体前面には、リモコン１０から赤外線信号の形式で送信されたリモコンコードを受信するための赤外線信号受信部２１（赤外線信号受信手段、受信手段、制御機器側受信手段）と、主電源キー２２と、リモコン１０上に設けられた入力切替キー１９（図２参照）による切り替え後の入力元の外部入力ＡＶ機器用のリモコンコードの設定モードに移行させるための指示操作用のタクトスイッチである設定ボタン２３と、このリモコンコードの設定モードになっている間だけ点灯するインジケータ２４と、表示部２５とが配設されている。さらにまた、ＳＴＢ２には、ＶＨＳレコーダ３及びＨＤＤレコーダ４に対して制御用のリモコンコードを赤外線信号の形式で送信するＡＶマウス９が接続されている。
【００１６】
上記のＶＨＳレコーダ３は、ＶＨＳレコーダ３自体を操作するためのリモコン３０（請求項における外部機器用リモコン）を有している。このリモコン３０は、赤外線信号発信部３８と、電源キー３９等のキーとを有している。また、ＶＨＳレコーダ３の本体前面には、ＡＶマウス９やリモコン３０から赤外線信号の形式で送信されたリモコンコードを受信するための赤外線信号受信部３１（外部入力機器側受信手段）と、主電源キー３２と、カセット挿入口３３と、表示部３４とが配設されている。
【００１７】
上記のＨＤＤレコーダ４の本体前面には、ＨＤＤレコーダ４の操作用の不図示のリモコンやＡＶマウス９から赤外線信号の形式で送信されたリモコンコードを受信するための赤外線信号受信部４１（外部入力機器側受信手段）と、主電源キー４２と、表示部４３とが配設されている。
【００１８】
上記のＴＶ受像機５の本体前面には、ＴＶ受像機５の操作用の不図示のリモコンや上記のリモコン１０から赤外線信号の形式で送信されたリモコンコードを受信するための赤外線信号受信部５１と、主電源キー５２と、モニタ５３とが配設されている。
【００１９】
図２は、上記のリモコン１０を示す。リモコン１０は、各種のキーからなるキー部１４と赤外線信号発信部１１とを有している。キー部１４には、ＳＴＢ２用の電源キー（ＳＴＢ用電源キー）１２、ＴＶ受像機５用の電源キー（ＴＶ受像機用電源キー）１３、数字入力用のキー１５、カーソルキー１６、確定キー１７に加えて、外部入力ＡＶ機器（ＶＨＳレコーダ３及びＨＤＤレコーダ４）の操作用のメニューを含む各種メニューを表示するためのメニューキー１８と、映像・音声信号の入力元となる外部入力ＡＶ機器を切り替えるための入力切替キー１９とが配設されている。
【００２０】
次に、図３を参照して、上記のＳＴＢ２の電気的ブロック構成について説明する。ＳＴＢ２は、装置全体の制御を行うマイクロプロセッサ６１を備えている。マイクロプロセッサ６１とリモコン１０の入力切替キー１９とが、請求項における入力切替手段に相当する。マイクロプロセッサ６１には、上記の赤外線信号受信部２１、主電源キー２２、設定ボタン２３、インジケータ２４及び表示部２５に加えて、チューナ６２、復調部６３、映像・音声インタフェース部６５、メモリ６７（コードタイプ記憶手段）、電源部６８及びＡＶマウスインタフェース部６９が接続されている。
【００２１】
上記のチューナ６２は、ユーザにより選択されたチャンネルに対応した周波数のテレビジョン放送信号をアンテナ６０を介して受信する。復調部６３は、チューナ６２により受信したテレビジョン放送信号の復調を行う。映像・音声インタフェース部６５は、ＡＶシステム１内の他のＡＶ機器との間で映像・音声信号の送受信を行うためのインタフェース用の回路であり、図１に示されるＶＨＳレコーダ３及びＨＤＤレコーダ４からの映像・音声信号の受信、及びＴＶ受像機５への映像・音声信号の送信を行う。メモリ６７は、各種のデータや、各種の制御用プログラム等が記憶されている。電源部６８は、ＳＴＢ２内の各回路に電源を供給する。ＡＶマウスインタフェース部６９は、ＶＨＳレコーダ３又はＨＤＤレコーダ４の制御用のリモコンコードをＡＶマウス９へ送信する。
【００２２】
上記のメモリ６７に記憶されたデータには、各外部入力ＡＶ機器の専用のリモコン（例えば、リモコン３０）から受信した、電源キーに対応したリモコンコードに基いて、リモコンコードのコードタイプを判別するためのリモコンコード照会テーブル７１、リモコンコード照会テーブル７１を用いて判別したリモコンコードのコードタイプを記憶するコードタイプ保存Ｆ７２、及びリモコン１０から受信したリモコンコードを外部入力ＡＶ機器用のリモコンコードに変換するためのリモコンコードテーブル７３が含まれている。また、メモリ６７に記憶されたプログラムには、後述するリモコンコード設定処理（図６参照）の内容を記述したプログラムであるリモコンコード設定ＰＧ７４と、後述するリモコンコード変換処理（図７参照）の内容を記述したプログラムであるリモコンコード変換ＰＧ７５とが含まれている。マイクロプロセッサ６１とリモコンコード変換ＰＧ７５とリモコンコードテーブル７３とが、請求項におけるコード変換手段に相当する。また、マイクロプロセッサ６１とリモコンコード設定ＰＧ７４とリモコンコード照会テーブル７１とが、請求項におけるコードタイプ判別手段に相当する。
【００２３】
図４は、上記のリモコンコード照会テーブル７１に格納されるレコードの内容を示す。リモコンコード照会テーブル７１の各レコード８０は、各外部入力ＡＶ機器の専用のリモコン（例えば、リモコン３０）の電源キーに対応したリモコンコード８１と、メーカのコード８２と、機種タイプ８３と、コードタイプ８４から構成されている。
【００２４】
図５は、上記のコードタイプ保存Ｆ７２に格納されるレコードの内容を示す。コードタイプ保存Ｆ７２の各レコード９０は、外部入力１が選択されているか、外部入力２が選択されているかを示す、外部入力コード９１と、各外部入力に対応したＡＶ機器用のリモコンコードのコードタイプ９２から構成されている。外部入力コード９１＝１のレコード９０は、外部入力１に対応したレコードを示し、外部入力コード９１＝２のレコード９０は、外部入力２に対応したレコードを示す。
【００２５】
図６は、上記の各外部入力ＡＶ機器（ＶＨＳレコーダ３又はＨＤＤレコーダ４）の制御用のリモコンコードの設定処理のフローチャートを示す。上記のＳＴＢ２では、ＡＶマウス９を経由して各外部入力ＡＶ機器を制御するときにＡＶマウス９から送信されるリモコンコードのコードタイプを、各外部入力ＡＶ機器のリモコン（例えば、ＶＨＳレコーダ３のリモコン３０）を利用して設定する（特定させる）。具体的には、ユーザが、リモコン１０の入力切替キー１９を用いて、Ａｉｒ（チューナ）、外部入力１、外部入力２の中から所望の映像・音声信号の入力元を選択すると、ＳＴＢ２のマイクロプロセッサ１１は、上記の切り替え後の入力元をチェックする。そして、切り替え後の入力元が、外部入力１か外部入力２である場合に、ユーザが、ＳＴＢ２本体前面の設定ボタン２３を押すと（オンすると）（Ｓ１でＹＥＳ）、ＳＴＢ２のマイクロプロセッサ１１は、ＳＴＢ２本体前面のインジケータ２４を点灯させて（Ｓ２）、上記の切り替え後の入力元に対応した外部入力ＡＶ機器（例えば、ＶＨＳレコーダ３）用のリモコンコードの設定モードに移行する。
【００２６】
インジケータ２４が点灯している間に、ユーザが、上記の切り替え後の入力元に対応した外部入力ＡＶ機器用のリモコン（例えば、ＶＨＳレコーダ３用のリモコン３０）の電源キーを押下すると、ＳＴＢ２のマイクロプロセッサ１１は、この電源キーに対応したリモコンコードを赤外線信号受信部２１により受信して（Ｓ３でＹＥＳ）、受信したリモコンコードと同じリモコンコード８１（図４参照）を持つレコード８０がリモコンコード照会テーブル７１内に存在するか否かをチェックする（Ｓ４）。この結果、受信したリモコンコードと同じリモコンコード８１を持つレコード８０が存在する場合には（Ｓ５でＹＥＳ）、マイクロプロセッサ１１は、該当のレコード８０に含まれるコードタイプ８４を、図５に示されるように、対応する外部入力コード９１と共に、メモリ６７内のコードタイプ保存Ｆ７２に記憶した上で、インジケータ２４を消灯する。これに対して、インジケータ２４が点灯している間に、ユーザが、外部入力ＡＶ機器用のリモコンの電源キーを押下しなかった場合や（Ｓ３でＮＯ、Ｓ７でＹＥＳ）、外部入力ＡＶ機器用のリモコンから受信したリモコンコードと同じリモコンコード８１を持つレコード８０がリモコンコード照会テーブル７１内に存在しなかった場合には（Ｓ５でＮＯ、Ｓ７でＹＥＳ）、マイクロプロセッサ１１は、メモリ６７内のコードタイプ保存Ｆ７２内にレコード９０を格納せずに、インジケータ２４を消灯する（Ｓ８）。
【００２７】
なお、図１に示されるように、ＳＴＢ２に接続される外部入力ＡＶ機器の台数が、２以上である場合でも、ユーザが、リモコン１０の入力切替キー１９を用いて、映像・音声信号の入力元を切り替えた上で、上記の各外部入力ＡＶ機器用のリモコンコードの設定操作を行うことにより、各外部入力ＡＶ機器の制御用のリモコンコードの設定操作を間違いなく行うことができる。例えば、図１に示されるように、ＳＴＢ２に外部入力ＡＶ機器としてＶＨＳレコーダ３とＨＤＤレコーダ４とが接続されている場合には、ＶＨＳレコーダ３とＨＤＤレコーダ４の両方のリモコンコードの設定操作を順番に行うことができる。
【００２８】
図７は、ＳＴＢ２において行われるリモコンコードの変換処理のフローチャートを示す。上記図６に示されるリモコンコードの設定処理後に、ユーザが、ＳＴＢ２のリモコン１０を用いて外部入力ＡＶ機器に対する操作（例えば、再生や停止）を指示すると、ＳＴＢ２のマイクロプロセッサ１１は、上記の操作の指示に先立って、ユーザにより選択されていた映像・音声信号の入力元が、外部入力１である場合には（Ｓ１１でＹＥＳ）、コードタイプ保存Ｆ７２（図５参照）から、外部入力コード９１＝１のレコード９０を読み込む（Ｓ１２）。そして、マイクロプロセッサ１１は、ＳＴＢ２のリモコン１０による指示内容（リモコン１０のリモコンコード）を、外部入力コード９１＝１のレコード９０に含まれるコードタイプ９２に対応したリモコンコードに変換して、変換後のリモコンコードをＡＶマウス９により赤外線信号の形式で外部入力１に対応した外部入力ＡＶ機器（例えば、ＶＨＳレコーダ３）に送信する。
【００２９】
また、外部入力ＡＶ機器に対する操作の指示に先立って、ユーザにより選択されていた映像・音声信号の入力元が、外部入力２である場合には（Ｓ１１でＮＯ、Ｓ１３でＹＥＳ）、マイクロプロセッサ１１は、コードタイプ保存Ｆ７２（図５参照）から、外部入力コード９１＝２のレコード９０を読み込む（Ｓ１４）。そして、マイクロプロセッサ１１は、ＳＴＢ２のリモコン１０による指示内容（リモコン１０のリモコンコード）を、外部入力コード９１＝２のレコード９０に含まれるコードタイプ９２に対応したリモコンコードに変換して、変換後のリモコンコードをＡＶマウス９により赤外線信号の形式で外部入力２に対応した外部入力ＡＶ機器（例えば、ＨＤＤレコーダ４）に送信する（Ｓ１５）。
【００３０】
外部入力ＡＶ機器に対する操作の指示に先立って、ユーザにより選択されていた映像・音声信号の入力元が、Ａｉｒである場合には（Ｓ１６でＹＥＳ）、マイクロプロセッサ１１は、リモコン１０による指示内容をそのまま実行する（Ｓ１７）。
【００３１】
上記のように、本実施形態のＳＴＢ２によれば、ユーザが、設定ボタン２３を押した後に、外部入力ＡＶ機器用のリモコンの電源キー（例えば、ＶＨＳレコーダ３用のリモコン３０の電源キー３９）を押下すると、外部入力ＡＶ機器用のリモコンから電源キーに対応したリモコンコードがＳＴＢ２に送信されて、ＳＴＢ２のマイクロプロセッサ１１が、このリモコンコードのコードタイプを自動的に判別する。これにより、従来と異なり、ユーザが、ＧＵＩ等を用いて、多くの外部入力ＡＶ機器のメーカ名や機種タイプの中から、制御対象となる外部入力ＡＶ機器のメーカ名や機種タイプを選択して、ＳＴＢ２に外部入力ＡＶ機器用のリモコンコードのコードタイプを判別させる必要がなくなるので、外部入力ＡＶ機器の制御用のリモコンコードの設定操作を簡単に行うことができる。
【００３２】
また、ユーザにより設定ボタン２３が押されたときに、リモコン１０の入力切替キー１９による切り替え後の入力元の外部入力ＡＶ機器用のリモコンコードの設定モードに移行し、この外部入力ＡＶ機器用のリモコンコードの設定のみを行うことができるようになるので、外部入力ＡＶ機器の接続台数が２以上であっても、ユーザが、各外部入力ＡＶ機器の制御用のリモコンコードの設定操作を間違いなく行うことができる。
【００３３】
なお、本発明は、上記実施形態に限られるものではなく、様々な変形が可能である。例えば、上記の実施形態では、ユーザが、ＳＴＢ本体前面の設定ボタン２３を押すと、外部入力ＡＶ機器用のリモコンコードの設定モードに移行するようにしたが、リモコンコードの設定モードへの移行の指示を、ＧＵＩを用いて行うようにしてもよい。また、上記実施形態では、各外部入力ＡＶ機器用のリモコンコードのコードタイプをコードタイプ保存Ｆ７２に記憶するようにしたが、各外部入力ＡＶ機器のメーカのコードと機種タイプとをコードタイプ保存Ｆに記憶するようにしてもよい。さらにまた、上記実施形態では、リモコンコード照会テーブル７１とリモコンコードテーブル７３とを別ファイルにしたが、リモコンコード照会テーブルとリモコンコードテーブルを１つのファイルにまとめてもよい。
【図面の簡単な説明】
【００３４】
【図１】本発明の一実施形態に係る制御側ＡＶ機器であるＳＴＢを含むＡＶシステムを示す斜視図。
【図２】上記ＳＴＢのリモコンの上面図。
【図３】上記ＳＴＢの電気的ブロック構成図。
【図４】図３中のリモコンコード照会テーブル内のレコードの例を示す図。
【図５】図３中のコードタイプ保存Ｆ内のレコードの例を示す図。
【図６】上記ＳＴＢにおける外部入力ＡＶ機器の制御用のリモコンコードの設定処理のフローチャート。
【図７】上記ＳＴＢにおけるリモコンコードの変換処理のフローチャート。
【符号の説明】
【００３５】
１    ＡＶシステム
２    ＳＴＢ（制御側ＡＶ機器）
３    ＶＨＳレコーダ（外部入力ＡＶ機器）
４    ＨＤＤレコーダ（外部入力ＡＶ機器）
６〜８  ケーブル
９    ＡＶマウス
１０  リモコン（自機用リモコン）
１９  入力切替キー（入力切替手段）
２１  赤外線信号受信部（赤外線信号受信手段、受信手段、制御機器側受信手段）
２３  設定ボタン
３０  リモコン（外部機器用リモコン）
３１  赤外線信号受信部（外部入力機器側受信手段）
３９  電源キー
４１  赤外線信号受信部（外部入力機器側受信手段）
６１  マイクロプロセッサ（コード変換手段、入力切替手段、コードタイプ判別手段）
６７  メモリ（コードタイプ記憶手段）
７１  リモコンコード照会テーブル（コードタイプ判別手段）
７２  コードタイプ保存Ｆ
７３  リモコンコードテーブル（コード変換手段）
７４  リモコンコード設定ＰＧ（コードタイプ判別手段）
７５  リモコンコード変換ＰＧ（コード変換手段）
【図１】
2006352301.tif 000003
【図２】
2006352301.tif 000004
【図３】
2006352301.tif 000005
【図４】
2006352301.tif 000006
【図５】
2006352301.tif 000007
【図６】
2006352301.tif 000008
【図７】
2006352301.tif 000009